(57)【要約】【課題】誤って落としたとしても撮像ユニットが壊れ難く、かつシャッタチャンスを逃すことなく撮影を行なうことができる撮影装置を提供する。【解決手段】カメラ本体１１に撮像ユニット１０を収納するとともに収納状態にあっても撮影可能な状態にする収納装着部１１０を設ける。この撮影装置１を用いると、撮像ユニット１０をカメラ本体１１の収納装着部１１０に収納状態にしたまま、撮影を行なうことができるため、誤って落としても撮像ユニット１０が壊れることがない。【選択図】図１
2007134959.tif 000002
【特許請求の範囲】
【請求項１】
撮像ユニットと、該撮像ユニットが着脱自在に装着される装着部を有するカメラ本体とを備えた撮影装置において、
前記カメラ本体は、前記撮像ユニットを該カメラ本体内に収納した状態に該撮像ユニットを装着する収納装着部を備え、
この撮影装置は、前記撮像ユニットが前記カメラ本体の前記収納装着部に収納状態に装着されたまま、撮影を行なうものであることを特徴とする撮影装置。
【請求項２】
撮像ユニットと、該撮像ユニットが着脱自在に装着される装着部を有するカメラ本体とを備えた撮影装置において、
前記カメラ本体は、前記撮像ユニットを該カメラ本体内に収納した状態に該撮像ユニットを装着する収納装着部を備え、
この撮影装置は、非使用時には前記撮像ユニットが前記カメラ本体の前記収納装着部に収納状態に装着され、使用時のうちの少なくとも一部の使用態様において前記撮像ユニットが前記収納装着部に装着されたまま該撮像ユニットの一部が前記カメラ本体から突出するものであることを特徴とする撮影装置。
【請求項３】
前記撮像ユニットは、撮像素子を含んだものであることを特徴とする請求項１又は２記載の撮影装置。
【発明の詳細な説明】
【技術分野】
【０００１】
本発明は、撮像ユニットと、その撮像ユニットが着脱自在に装着される装着部を有するカメラ本体とを備えた撮影装置に関する。
【背景技術】
【０００２】
撮像ユニットとその撮像ユニットが着脱自在に装着される装着部を有するカメラ本体とを備えた撮影装置がある（例えば特許文献１参照）。このような撮影装置にあっては、撮像ユニットをカメラ本体に装着したまま手に持って持ち運んでシャッタチャンスに撮影を行なうことが多い。そこで、より持ち運び易くするためにストラップ付きのショルダーバックのような収納ケース内にカメラ本体および撮像ユニットを収納することができるようにし、さらにその収納ケースに入れたままの状態で撮影を行なうことができるようにもしているものがある（例えば特許文献２参照）。
【０００３】
また、持ち運びやすさだけでなく、交換用の撮像ユニットとの交換をいち早く行なうことができるようにとカメラ本体に付いている肩掛け用のストラップに交換用の撮像ユニットを保持することができるようにしているものもある（例えば特許文献３参照）。
【０００４】
しかしながら、撮像ユニットを撮影装置に装着したまま持って歩いているときに誤ってその撮影装置を地面などに落としてしまうと、撮像ユニットとカメラ本体との装着部に衝撃が瞬間的に加えられて連結部が壊れ撮像ユニットが壊れてしまう恐れがある。
【０００５】
ところで、撮像素子を撮像ユニットに組み込むようにしてその撮像ユニットをカメラ本体に装着するような撮影装置が提案されている（例えば特許文献４参照）。この特許文献４のように撮像ユニットに撮像素子が組み込まれるようになると、いままでのようにカメラ本体側に撮像素子およびその撮像素子に被写体を導くレンズを組み込む必要がなくなってカメラ本体内に空きスペースが生まれる。また、このように撮像素子が撮像ユニットに組み込まれるようになると、カメラ本体側の機能が軽減されることにより撮像ユニットのコストの方がカメラ本体よりも高価なものになることが予想される。
【特許文献１】特開平０８−２５４７３９号公報
【特許文献２】特開平０９−０４７３１３号公報
【特許文献３】特開２０００−１８７２７１号公報
【特許文献４】特開２００５−１９７８８２号公報
【発明の開示】
【発明が解決しようとする課題】
【０００６】
本発明は、上記事情に鑑み、誤って落としたとしても撮像ユニットが壊れ難く、かつシャッタチャンスを逃すことなく撮影を行なうことができる撮影装置を提供することを目的とする。
【課題を解決するための手段】
【０００７】
上記目的を達成する本発明の撮影装置は、撮像ユニットと、その撮像ユニットが着脱自在に装着される装着部を有するカメラ本体とを備えた撮影装置において、
上記カメラ本体は、上記撮像ユニットをそのカメラ本体内に収納した状態にその撮像ユニットを装着する収納装着部を備え、
この撮影装置は、上記撮像ユニットが上記カメラ本体の上記収納装着部に収納状態に装着されたまま、撮影を行なうものであることを特徴とする。
【０００８】
上記撮影装置によれば、上記カメラ本体が備える上記収納装着部に上記撮像ユニットが装着されたまま撮影が行なわれる。そうすると、上記収納装着部に撮像ユニットを収納した状態のまま撮影を行なうことができ、かつ持ち運びができるようになる。
【０００９】
このように収納装着部に撮像ユニットが収納されたまま持ち運べると、持ち運んでいる最中に誤ってこの撮影装置を落としたとしてもカメラ本体がクッションとなって撮影ユニットが破損することがなくなる。
【００１０】
さらにこの撮影装置は、上記収納装着部が単に収納だけでなく装着という機能を有するものであって上記撮像ユニットが交換できる撮像装置でありながら、その撮像ユニットが上記カメラ本体に一体的に組み込まれた非交換式の撮影装置であるかのような印象を与えるものであるため、非交換式であることの、デザイン上および取り扱いの容易性などの長所を合わせもつことができる。
【００１１】
ここで、撮像ユニットと、該撮像ユニットが着脱自在に装着される装着部を有するカメラ本体とを備えた撮影装置において、
上記カメラ本体は、上記撮像ユニットを該カメラ本体内に収納した状態にその撮像ユニットを装着する収納装着部を備え、
この撮影装置は、非使用時には上記撮像ユニットが上記カメラ本体の上記収納装着部に収納状態に装着され、使用時のうちの少なくとも一部の使用態様において上記撮像ユニットが上記収納装着部に装着されたままその撮像ユニットの一部が上記カメラ本体から突出するものであることが好ましい。
【００１２】
そうすると、上記撮像ユニットが上記収納装着部に収納されたときにその撮像ユニットが上記カメラ本体から突出してしまうほどの長さを持った望遠撮影用の撮像ユニットであっても収納装着部に装着することができるようになる。
【００１３】
上記収納装着部に収納される長さの撮像ユニットから、カメラ本体から先端が突出してしまうほどの長さの撮像ユニットまで様々な撮像ユニットを上記収納装着部に装着することができるようになると、いろいろな種類の撮像ユニットを装着することによって被写体にあわせた撮影をよりいっそう楽しむことができるようになる。
【００１４】
なお、このように撮像ユニットをカメラ本体から突出させたとしても、カメラ本体側に重心を持たせるような構造にしておけばカメラ本体が落下の衝撃を和らげるクッションとなって働き、撮像ユニットの破損をくい止めることができる。
【００１５】
また、上記撮像ユニットは、撮像素子を含んだものであることが好ましい。
【００１６】
上記撮像ユニットの中に撮影レンズのみが配備されたものであっても高価なものがあるが、前述したように撮像素子を含んだものは今後さらに高価になることが予想される。このため、上記した様に上記撮像ユニットが上記撮像素子を含んだものであると、本発明の効果が充分に発揮されることとなる。
【発明の効果】
【００１７】
以上、説明したように、誤って落としたとしても撮像ユニットが壊れ難く、かつシャッタチャンスを逃すことなく撮影を行なうことができる撮影装置が実現する。
【発明を実施するための最良の形態】
【００１８】
以下、本発明の実施の形態について説明する。
【００１９】
図１は、本発明の一実施形態である撮影装置１の外観を示す図である。
【００２０】
図１（ａ）には、操作子の操作に応じてレンズバリアが開放されて撮像ユニット１０のレンズが露出した状態が示されており、図１（ｂ）には、操作子１１０の操作に応じてレンズバリア１１１が撮影レンズを覆った状態が示されている。図１（ｃ）には、図１（ｂ）の中心を上下に切断してその切断面を側方から見たときの断面図が示されている。また、図１（ｄ）には、収納装着部１１０の深さよりも長い軸長を持つ撮像ユニット１０Ａが収納装着部１１０に装着された状態が示されている。
【００２１】
図１（ａ）から図１（ｄ）に示す撮影装置１は、撮像ユニット１０と、その撮像ユニット１０、１０Ａが着脱自在に装着されるカメラ本体１１とを備えたものである。本実施形態の撮像ユニットは撮像素子を備えたものであって、撮像素子で生成された画像データがカメラ本体に転送されて記録メディアに記録されたり、表示画面上に表示されたりする。
【００２２】
このカメラ本体１１は、図１（ａ）に示すように撮像ユニット１０をカメラ本体１１内に収納した状態にしたままその撮像ユニット１０を撮影可能な状態に装着する収納装着部１１０（図１（ｃ）参照）を備えている。つまりこの撮影装置１を用いると、撮像ユニット１０をカメラ本体１１の収納装着部１１０に収納状態に装着したまま、シャッタボタン１１２の撮影開始の合図に応じて図１（ａ）に示す撮影レンズで被写体を捉えて撮影を行なうことができる。なお、図１には被写体に向けて撮影補助光を照射するための発光窓も図示されている。
【００２３】
図１（ａ）に示すように撮像ユニット１０の先端がカメラ本体１１から突出することなく、収納装着部１１０に収納された状態のまま、撮影を行なうことができるようになると、この撮影装置を持って歩いてシャッタチャンスを伺っているときに誤ってこの撮影装置を落としたとしても撮像ユニットが壊れる確率は極めて低くなる。またシャッタチャンスには収納装着部に収納された状態のまま、撮像ユニット１０で被写体を捉えて適時に撮影を行なうことができる。
【００２４】
さらに本実施形態においては、図１（ｄ）に示すように使用時のうちの少なくとも一部の使用態様ここでは望遠撮影において撮像ユニット１０Ａが収納装着部１１０に装着されたままその撮像ユニット１０Ａの一部がカメラ本体１１から突出したとしても撮影を行なうことができるようにしている。
【００２５】
本来であれば特許文献１にあるように撮像ユニットの繰り込み量を変える構造をカメラ本体側に設けておくことが必要であるが、それでは構造が複雑になるので、軸長が長くなっても撮像ユニットの大半がカメラ本体１１内部の収納装着部に収納されているということを用いて望遠用の撮像ユニットが収納装着部に装着されたときには撮像ユニットの一部である撮像ユニット先端を敢えてカメラ本体から突出させるようにしてカメラ本体側の収納装着部の構造を簡易にしている。さらに図１（ｄ）に示すように望遠用の撮像ユニット１０Ａが装着された場合、この撮影装置１を誤って落としたときに撮像ユニットの方から先に落下して撮像ユニット１０Ａの方が壊れてしまう恐れがあるので、撮像ユニット１０Ａの方から先に落下しないように図１（ｄ）に示す状態にある撮影装置１の重心をカメラ本体１１側に持たせる構造にしてこの撮影装置を落としたとしてもカメラ本体１１の方を先に落下させるようにもしている。
【００２６】
以上説明したように、誤って落としたとしても撮像ユニットが壊れ難く、かつシャッタチャンスを逃すことなく撮影を行なうことができる撮影装置が実現する。
【００２７】
図２は、第２実施形態を示す図である。
【００２８】
図２に示す様に、撮像ユニット２０とその撮像ユニット２０が装着される収納装着部２１０を備えたものであり、その撮像ユニット２０が屈曲光学系２００と撮像素子２０１とを備えたものであっても良い。
【００２９】
図２に示す構成を持つ撮影装置２を用いて撮影を行なっているときに誤ってその撮影装置を落としたとしても撮像ユニットが壊れ難い撮影装置が実現する。また図２に示す撮影装置ような構造であってもシャッタチャンスを逃すことなく咄嗟の状況においても好適な撮影を行なうことができる撮影装置が実現する。
【図面の簡単な説明】
【００３０】
【図１】本発明の一実施形態である撮影装置１の外観を示す図である。
【図２】第２実施形態を示す図である。
【符号の説明】
【００３１】
１  撮影装置
１０  １０Ａ  撮像ユニット
１１    カメラ本体
１１Ａ    操作子
１１０    収納装着部
１１１    レンズバリア
１１２    シャッタボタン
１１３    発光窓
２    撮影装置
２０    撮像ユニット
２００    屈曲光学系
２０１    撮像素子
２１    カメラ本体
２１０    収納装着部
【図１】
2007134959.tif 000003
【図２】
2007134959.tif 000004